(57)【特許請求の範囲】
【請求項１】
水平な複数の天板の長手方向両側に側板を垂設すると共に、互いに隣り合う各天板の各側板に水平な底板をそれぞれ連設固定して波板状に形成され、更に前記各天板および各側板の上方部に亘って、その長手方向と直角に間隔を有して複数個の凹部をそれぞれ列状に凹設すると共に、前記各側板の前記各凹部間に通気孔をそれぞれ列状に穿設して保持体が形成され、
前記保持体は、前記各天板が、オフイスビル床面上に支持脚を介して載置固定したフロアパネルの下面に接触するようにして、前記床面上に複数枚敷きつめて設置されると共に、前記各列状の凹部に、冷暖房装置の冷温水パイプを、該冷温水パイプの上面が前記各天板と面一となるようにして嵌合固定し、更に前記底板上および／または前記通気孔に事務機器用のコードを配設するようにしたことを特徴とするオフイスビルの床面とフロアパネル間に設置する冷暖房装置用冷温水パイプおよび事務機器用コードの保持体。
【請求項２】
水平な複数の天板の長手方向両側に側板を垂設すると共に、互いに隣り合う各天板の各側板に水平な底板をそれぞれ連設固定して波板状に形成され、更に前記各天板および各側板の上方部に亘って、その長手方向と直角に間隔を有して複数個の凹部をそれぞれ列状に凹設すると共に、前記各側板の前記各凹部間に通気孔をそれぞれ列状に穿設して保持体が形成され、
前記保持体は、前記各天板が、オフイスビル床面上に支持脚を介して載置固定したフロアパネルの下面に接触するようにして、前記床面上に複数枚敷きつめて設置されると共に、前記各列状の凹部に、上方を放熱片を備えた伝熱板で被覆した冷暖房装置の冷温水パイプを、前記放熱片の上面が前記各天板と面一となるようにして嵌合固定し、更に前記底板上および／または前記通気孔に事務機器用のコードを配設するようにしたことを特徴とするオフイスビルの床面とフロアパネル間に設置する冷暖房装置用冷温水パイプおよび事務機器用コードの保持体。
【請求項３】
水平な複数の天板の長手方向両側に側板を垂設すると共に、互いに隣り合う各天板の各側板に水平な底板をそれぞれ連設固定して波板状に形成され、更に前記各天板および各側板の上方部に亘って、その長手方向と直角に間隔を有して複数個の凹部をそれぞれ列状に凹設すると共に、前記各側板の前記各凹部間に通気孔をそれぞれ列状に穿設して保持体が形成され、
前記保持体は、オフイスビル床面上に複数枚敷きつめて設置されると共に、前記各列状の凹部に、冷暖房装置の冷温水パイプを、該冷温水パイプの上面が前記各天板と面一となるようにして嵌合固定し、更に前記底板上および／または前記通気孔に事務機器用のコードを配設し、更に前記保持体の各天板上にフロアパネルを載置固定できるようにしたことを特徴とするオフイスビルの床面とフロアパネル間に設置する冷暖房装置用冷温水パイプおよび事務機器用コードの保持体。
【請求項４】
水平な複数の天板の長手方向両側に側板を垂設すると共に、互いに隣り合う各天板の各側板に水平な底板をそれぞれ連設固定して波板状に形成され、更に前記各天板および各側板の上方部に亘って、その長手方向と直角に間隔を有して複数個の凹部をそれぞれ列状に凹設すると共に、前記各側板の前記各凹部間に通気孔をそれぞれ列状に穿設して保持体が形成され、
前記保持体は、オフイスビル床面上に複数枚敷きつめて設置されると共に、前記各列状の凹部に、上方を放熱片を備えた伝熱板で被覆した冷暖房装置の冷温水パイプを、前記放熱片の上面が前記各天板と面一となるようにして嵌合固定し、更に前記底板上および／または前記通気孔に事務機器用のコードを配設し、更に前記保持体の各天板上にフロアパネルを載置固定できるようにしたことを特徴とするオフイスビルの床面とフロアパネル間に設置する冷暖房装置用冷温水パイプおよび事務機器用コードの保持体。
【請求項５】
伝熱板が、ゴム磁石等の磁性体より成る請求項２または４記載のオフイスビルの床面とフロアパネル間に設置する冷暖房装置用冷温水パイプおよび事務機器用コードの保持体。
【発明の詳細な説明】
【０００１】
【発明の属する技術分野】
本発明は、オフイスビルの床面とフロアパネル間の空隙部に設置する保持体であって、冷温水を用いた床輻射冷暖房システムと、冷温風を用いた床吹出し空調システムとの組合せによる冷暖房装置において、上方に冷温水を送水する冷温水パイプを嵌合固定すると共に、下方に冷温風を送気できる送気通路を備え、併せてコンピューター、コピー機、電話機あるいはファクシミリ等の事務機器の電源用および配線用のコードを整理して配設することができるオフイスビルの床面とフロアパネル間に設置する冷暖房装置用冷温水パイプおよび事務機器用コードの保持体に関するものである。
【０００２】
【従来の技術】
従来、図７に示すように、冷水および温水を生成する冷温水発生機４１よりの冷水または温水を、床パネル４２の下面に、モルタル等の熱伝導率の高い被覆材４３に被覆されて配設された冷温水パイプ４４に送水して、床輻射により室内４５を冷暖房する床輻射冷暖房システムと、冷風および温風を生成する空気調和機４６よりの冷風または温風を、前記床パネル４２の下面の空隙部４７に送気して、室内４５の端縁部の床パネル４２に開口された吹出し口４８より前記室内４５に送風して、冷風および温風により室内４５を冷暖房する床吹出し空調冷暖房システムとの組合せによる冷暖房装置は、本特許出願人が所有する特許第２６０２１９４号公報に開示されている。
【０００３】
また、オフイスビルの室内のいずれ位置においても、コンピューター、コピー機、電話機あるいはファクシミリ等の事務機器を設置することができるようにするために、図８に示すように、床面６１上に前記事務機器の電源用および配線用のコード６２を這わせ、更に前記床面６１上に多数の支持脚６３を所定間隔を有して複数本立設固定すると共に、該各支持脚６３上に多数の方形状をしたフロアパネル６４を開閉自在なるように載置固定して形成されている。そして、必要に応じて所定位置のフロアパネル６４を開放して、前記事務機器と前記コード６２とを接続し、接続完了後該フロアパネル６４を閉鎖するようにしていた。
【０００４】
【発明が解決しようとする課題】
しかしながら、前記従来の図７に示す冷暖房装置は、冷温水パイプ４４と床パネル４２間に被覆材４３が充填されるために、該床パネル４２を開放することができないため、前記床パネル４２の下面に事務機器用のコードを這わせるということはできず、従って前記冷暖房装置と、事務機器の電源用および配線用のコードを這わせるという構成を組合せるということはできないという課題があった。
【０００５】
また、前記従来の図８で示すコード６２を床面に這わせるという方法では、コード６２が床面上を雑然と這っているだけであるので、コード６２が多くある場合は、各コード６２がからみ合ったりするという課題があり、更に、フロアパネル６２を載置する支持脚６３を立設する必要があるため、該支持脚６３の立設作業に手間がかかり、従ってコストが高くなるという課題があった。
【０００６】
本発明は、前記課題を解決すべくなされたもので、冷温水による床輻射冷暖房システムと冷温風による床吹出し空調冷暖房システムとの組合せによる冷暖房装置と、事務機器の電源用および配線用のコードを配設するという構成を組合せることができ、更に、支持脚を不要として上面にフロアパネルを載置固定することもできるオフイスビルの床面とフロアパネル間に設置する冷暖房装置用冷温水パイプおよび事務機器用コードの保持体を提供しようとするものである。
【０００７】
【課題を解決するための手段】
本発明は、水平な複数の天板の長手方向両側に側板を垂設すると共に、互いに隣り合う各天板の各側板に水平な底板をそれぞれ連設固定して波板状に形成され、更に前記各天板および各側板の上方部に亘って、その長手方向と直角に間隔を有して複数個の凹部をそれぞれ列状に凹設すると共に、前記各側板の前記各凹部間に通気孔をそれぞれ列状に穿設して保持体が形成され、前記保持体は、前記各天板が、オフイスビル床面上に支持脚を介して載置固定したフロアパネルの下面に接触するようにして、前記床面上に複数枚敷きつめて設置されると共に、前記各列状の凹部に、冷暖房装置の冷温水パイプを、該冷温水パイプの上面が前記各天板と面一となるようにして嵌合固定し、更に前記底板上および／または前記通気孔に事務機器用のコードを配設するという手段、水平な複数の天板の長手方向両側に側板を垂設すると共に、互いに隣り合う各天板の各側板に水平な底板をそれぞれ連設固定して波板状に形成され、更に前記各天板および各側板の上方部に亘って、その長手方向と直角に間隔を有して複数個の凹部をそれぞれ列状に凹設すると共に、前記各側板の前記各凹部間に通気孔をそれぞれ列状に穿設して保持体が形成され、前記保持体は、前記各天板が、オフイスビル床面上に支持脚を介して載置固定したフロアパネルの下面に接触するようにして、前記床面上に複数枚敷きつめて設置されると共に、前記各列状の凹部に、上方を放熱片を備えた伝熱板で被覆した冷暖房装置の冷温水パイプを、前記放熱片の上面が前記各天板と面一となるようにして嵌合固定し、更に前記底板上および／または前記通気孔に事務機器用のコードを配設するという手段、
水平な複数の天板の長手方向両側に側板を垂設すると共に、互いに隣り合う各天板の各側板に水平な底板をそれぞれ連設固定して波板状に形成され、更に前記各天板および各側板の上方部に亘って、その長手方向と直角に間隔を有して複数個の凹部をそれぞれ列状に凹設すると共に、前記各側板の前記各凹部間に通気孔をそれぞれ列状に穿設して保持体が形成され、前記保持体は、オフイスビル床面上に複数枚敷きつめて設置されると共に、前記各列状の凹部に、冷暖房装置の冷温水パイプを、該冷温水パイプの上面が前記各天板と面一となるようにして嵌合固定し、更に前記底板上および／または前記通気孔に事務機器用のコードを配設し、更に前記保持体の各天板上にフロアパネルを載置固定するという手段、
水平な複数の天板の長手方向両側に側板を垂設すると共に、互いに隣り合う各天板の各側板に水平な底板をそれぞれ連設固定して波板状に形成され、更に前記各天板および各側板の上方部に亘って、その長手方向と直角に間隔を有して複数個の凹部をそれぞれ列状に凹設すると共に、前記各側板の前記各凹部間に通気孔をそれぞれ列状に穿設して保持体が形成され、前記保持体は、オフイスビル床面上に複数枚敷きつめて設置されると共に、前記各列状の凹部に、上方を放熱片を備えた伝熱板で被覆した冷暖房装置の冷温水パイプを、前記放熱片の上面が前記各天板と面一となるようにして嵌合固定し、更に前記底板上および／または前記通気孔に事務機器用のコードを配設し、更に前記保持体の各天板上にフロアパネルを載置固定するという手段、
のいずれかを採用することにより、上記課題を解決した。
【０００８】
【発明の実施の形態】
本発明の実施の形態を図面に基づいて詳細に説明すると、オフィスビルの床面１上に設置して、冷風および温風の送気を可能にすると共に、冷温水パイプ２および事務機器の電源用および配線用のコード３を保持する保持体４は、鋼板あるいはプラスチック板によりフロアパネル５とほぼ同一大きさで方形状に形成される。
【０００９】
前記保持体４は、水平な複数の天板６の長手方向両側に拡開して側板７を垂設すると共に、互いに隣り合う各天板６の各側板７に水平な底板８をそれぞれ連設固定して波板状に形成されている。
【００１０】
前記保持体４の各天板６および各側板７の上方部に亘って、その長手方向と直角に間隔を有して複数個の凹部９がそれぞれ列状に凹設され、更に前記各側板７の前記各凹部９間には方形状の通気孔１０がそれぞれ列状に穿設されて形成されている。
【００１１】
前記構成より成る保持体４は、オフイスビルの床面１上に所定間隔を有して、複数本立設固定された支持脚１１上に載置固定された各フロアパネル５の下面の前記床面１上に、複数枚敷きつめて使用する。
【００１２】
前記床面１上に複数枚敷きつめられた保持体４の列状をなす各凹部９に、冷温水発生機Ｗからの冷温水を送水する冷温水パイプ２を、該冷温水パイプ２の上面が前記各天板６と面一となるように嵌合載置する。なお、前記冷温水パイプ２からの冷気および暖気をフロアパネル５に効率よく伝導させるために、前記保持体４の各天板６が、前記フロアパネル５に接触するようにして配設することが推奨される。
【００１３】
前記保持体４の各底板８とフロアパネル５間および各天板６と床面１間の空隙部並びに各通気孔１０が、空気調和機Ｅからの冷温風の送気通路となる。そして、前記各底板８上に事務機器の電源用および配線用のコード３を載置して配設してもよいし、または列状をなす各通気孔１０に前記コード３を貫通して配設してもよい。更に、各底板８上および各通気孔１０の両方に前記コード３を貫通して配設してもよい。
【００１４】
前記冷温水パイプ２からの冷気および暖気をフロアパネル５に効率よく伝導させるために、好ましくは図５に示すような伝熱板１２が冷温水パイプ２の上方に被覆されると共に、該伝熱板１２の上面が前記フロアパネル５に接触するようにして配設することが推奨される。
【００１５】
すなわち、前記伝熱板１２は、冷温水パイプ２の上半分程度を挟着できるようにした半環状の挟着部１３と、該挟着部１３の上方に前記フロアパネル５の下面に接触する平板状の放熱片１４を連設固定して形成されている。そして、前記放熱片１４の上面が前記各天板６と面一となるようにして、前記冷温水パイプ２は前記各凹部９に嵌合載置される。なお、前記伝熱板１２は、ゴム磁石等の磁性体で形成することにより、該伝熱板１２がフロアパネル５に密に接触して、前記冷温水パイプ２からの冷気および暖気を前記フロアパネル５に更に効率よく伝導させることができる。
【００１６】
前記構成より成る本発明保持体４は、床面１上に所定間隔を有して複数本立設固定された支持脚１１上に載置固定された各フロアパネル５の下面の前記床面１上に敷きつめて使用するが、本発明保持体４を板厚にする等、強度性を有するようにして、図６に示すように支持脚を使用せず、各天板６上に直接各フロアパネル５を載置固定することにより、従来の支持脚が不要となり、工期の短縮を図り、且つコストを安価にすることができる。
【００１７】
而して、前記構成より成る本発明保持体４を使用することにより、冷温水発生器Ｗにより生成された冷水または温水が、冷温水パイプ２に送水されてその冷気または暖気が、天板６の上面に接触しているフロアパネル５に効率よく伝導すると共に、前記保持体４の各底板８とフロアパネル５間および天板６と床面１間の空隙部並びに各通気孔１０が、空気調和機Ｅからの冷温風の送気通路となり、該空気調和機Ｅで生成された冷風または暖風が、吹出し口１５から室内１６に送風されて該室内１６を効率よく冷やしたり暖めたりすることができると同時に、従来は不可能であった事務機器の電源用および配線用のコード３も併せて配設することができ、然も前記コード３もからみ合わないよう整然と設置することが可能である。更に、保持体４に強度性をもたせることにより、直接該保持体４上にフロアパネル５を載置固定することもできる。
【００１８】
【発明の効果】
本発明は上述のようであるから、冷暖房装置の冷温水パイプが、フロアパネルの下面に接触するようにして保持体の凹部上に嵌合載置されると共に、冷温風の送気通路も確保されているので、室内の冷暖房効率もよく、併せて事務機器の電源用および配線用のコードも整然と配設されるので、前記コードがからみ合う虞れもない。更に、保持体に強度性をもたせることにより、直接該保持体上にフロアパネルを載置固定できるので、従来の支持脚が不要となり、工期の短縮とコストを安価にすることができる。
【図面の簡単な説明】
【図１】本発明オフィスビルの床面とフロアパネル間に設置する冷暖房装置用冷温水パイプおよび事務機器用コードの保持体の斜視図である。
【図２】本発明オフィスビルの床面とフロアパネル間に設置する冷暖房装置用冷温水パイプおよび事務機器用コードの保持体を取付けた全体の概略縦断面図である。
【図３】本発明オフィスビルの床面とフロアパネル間に設置する冷暖房装置用冷温水パイプおよび事務機器用コードの保持体を取付けた要部の拡大縦断面図である。
【図４】本発明オフィスビルの床面とフロアパネル間に設置する冷暖房装置用冷温水パイプおよび事務機器用コードの保持体を取付けた要部の拡大斜視図である。
【図５】本発明オフィスビルの床面とフロアパネル間に設置する冷暖房装置用冷温水パイプおよび事務機器用コードの保持体の他の実施の形態を示す斜視図である。
【図６】本発明オフィスビルの床面とフロアパネル間に設置する冷暖房装置用冷温水パイプおよび事務機器用コードの保持体を取付けた他の実施の形態を示す要部の拡大縦断面図である。
【図７】従来の冷暖房装置の概略縦断面図である。
【図８】従来のオフィスビルの床面におけるフロアパネルの配設状態を示す斜視図である。
【符号の説明】
１  床面、  ２  冷温水パイプ、  ３  コード、  ４  保持体、  ５  フロアパネル、  ６天板、    ７  側板、  ８  底板、  ９  凹部、  １０  通気孔、
１１  支持脚、  １２  伝熱板、  １３  挟着部、  １４  放熱片、  Ｗ  冷温水発生機、  Ｅ  空気調和機。
【図１】
0003592994.tif 000002
【図２】
0003592994.tif 000003
【図３】
0003592994.tif 000004
【図４】
0003592994.tif 000005
【図５】
0003592994.tif 000006
【図６】
0003592994.tif 000007
【図７】
0003592994.tif 000008
【図８】
0003592994.tif 000009